(57)【要約】【課題】遺族が故人の遺骨の総てを集骨し、供養することができるようにするための設備としての残骨安置墓の提供を課題とする。【解決手段】荼毘に付された遺骨のうち骨壷に収容しきれない残骨を安置し、合祭する残骨安置墓１であって、敷地１０内の地上部に合祭用の供養碑１１を設けると共に敷地１０内の地下部に複数の故人の残骨を区別して安置するための広い納骨室１２を設けてある。また各故人の残骨は故人毎の遺骨箱に収容して、納骨室１２に区別して安置される。【選択図】      図１
0003117679.tif 000002
【実用新案登録請求の範囲】
【請求項１】
荼毘に付された遺骨のうち骨壷に収容しきれない残骨を安置し、合祭する残骨安置墓であって、敷地内の地上部に合祭用の供養碑を設けると共に敷地内の地下部に複数の故人の残骨を区別して安置するための広い納骨室を設けてあることを特徴とする残骨安置墓。
【請求項２】
各故人の残骨は故人毎の遺骨箱に収容して、納骨室に区別して安置する構成としたことを特徴とする請求項１に記載の残骨安置墓。
【請求項３】
地上部から地下部の納骨室へ通路を設けてあることを特徴とする請求項１又は２に記載の残骨安置墓。
【考案の詳細な説明】
【技術分野】
【０００１】
本考案は残骨安置墓に関し、詳しくは、荼毘に付された遺骨のうち骨壷に収容しきれない残骨を安置し、合祭する残骨安置墓に関する。
【背景技術】
【０００２】
日本における火葬式においては、一般に、故人の遺体が火葬場にて荼毘に付された後、遺族による骨拾いが行われる。遺骨が納められた骨壷は、やがて自身のお墓に納められる。
上記火葬場での骨拾いは、実際には、故人のほんの一部の遺骨だけが集骨されているのが現状となっている。
【考案の開示】
【考案が解決しようとする課題】
【０００３】
ところが遺族の人にとっては、できることなら遺骨の全てを持ち帰り、供養ができればと考えている。
前記火葬場にて集骨されない遺骨は、市町村の管理運営する納骨堂等に安置される等の供養がなされるのであればよいが、実際には、このような集骨されなかった遺骨に対する特別の供養等はなされていないのが現状である。公的な機関による安置場所の確保やこれに費やする費用が嵩むためである。
前記火葬場にて収集されない遺骨は、定期毎にまとめられて処理業者に渡される仕組みとなっており、故人毎の残骨仕分けは不可能となっている。
一方、遺族以外の第３者による遺骨の集骨は認められていない。
【０００４】
そこで本考案は上記従来の問題を解消し、遺族が故人の遺骨の総てを集骨し、供養することができるようにするための設備としての残骨安置墓の提供を課題とする。
【課題を解決するための手段】
【０００５】
上記課題を達成するため、本考案の残骨安置墓は、荼毘に付された遺骨のうち骨壷に収容しきれない残骨を安置し、合祭する残骨安置墓であって、敷地内の地上部に合祭用の供養碑を設けると共に敷地内の地下部に複数の故人の残骨を区別して安置するための広い納骨室を設けてあることを第１の特徴としている。
また本考案の残骨安置墓は、上記第１の特徴に加えて、各故人の残骨は故人毎の遺骨箱に収容して、納骨室に区別して安置する構成としたことを第２の特徴としている。
また本考案の残骨安置墓は、上記第１又は第２の特徴に加えて、地上部から地下部の納骨室へ通路を設けてあることを第３の特徴としている。
【考案の効果】
【０００６】
請求項１に記載の残骨安置墓によれば、火葬場において骨壷に収容しきれなかった残骨は、遺族によって別に収集される。収集された故人の残骨は自身のお墓ではなく、本考案に係る十分な広さをもった残骨安置墓の敷地内の納骨室に運ばれ、それぞれ個別に安置される。残骨安置墓の敷地内の地上部には合祭用の供養碑が設けられ、遺族、親族或いはそれらの者から委託を受けた者、その他の者が参って供養を行うことができる。
請求項１に記載の残骨安置墓によれば、自己の墓に大きな収容スペース等が無く、残骨を自己の墓に安置して供養ができない者にとって、故人の遺骨の残骨を見知らぬ者に処理されることなく、安心して埋葬して供養の対象とすることができる。
【０００７】
請求項２に記載の残骨安置墓によれば、上記請求項１に記載の構成による効果に加えて、火葬場において骨壷に収容しきれなかった残骨は、別途、遺族によって収容され、本来の骨壷とは別のルートで運ばれ、遺骨箱に入れられた状態で本考案に係る残骨安置墓の敷地内の納骨室に安置される。
請求項２に記載の残骨安置墓によれば、火葬場にて遺族によって収集された故人の残骨は、他の残骨と一緒に処理されたりすることなく、故人毎に遺骨箱内に納められた状態で安置墓の納骨室内に安置することができる。
【０００８】
請求項３に記載の残骨安置墓によれば、上記請求項１又は２に記載の構成による効果に加えて、残骨安置墓には、その敷地内において地上部から地下部の納骨室へ通路が設けられているので、残骨を納骨室へ容易に運び込むことができると共に、供養を行う者が地上部の供養碑で拝んだ後に地下部の納骨室に移動して遺骨と対面することも可能となる。
【考案を実施するための最良の形態】
【０００９】
以下に添付の図面を参照して、本考案の実施形態を更に詳細に説明し、本考案の理解に供する。しかし以下の説明は本考案の具体例であって、実用新案登録請求の範囲に記載の内容を減縮するものではない。
図１は本考案の実施形態に係る残骨安置墓の全体を示す斜視図、図２は残骨安置墓の断面図、図３は残骨の収集と運搬、安置を説明する図である。
【００１０】
図１、図２を参照して、本考案の残骨安置墓１は、一般の墓地の一部の敷地に設けることができ、残骨安置墓１の敷地１０内には、その地上部の一画に合祭用の供養碑１１が設けられる。供養碑１１は、合同霊位と記載されたり、合同供養碑と記載されたり、或いは物故者の霊位と記載する等、その記載の仕方は種々万別であっても、要するに供養の対象を形で現したシンボルとしての合同の碑である。
供養碑１１には花立、線香立、供物台、水鉢等が設備される。また供養碑１１やその近傍に配置される設備に、埋葬された故人の名前を記載するようにしてもよい。
遺族や親族、或いはそれらの者から委託を受けた者、その他の者は供養碑１１に対して供養行為を行うことができる。
【００１１】
残骨安置墓１の敷地１０内の地下部に納骨室１２が設けられる。納骨室１２は複数の故人の残骨をそれぞれ個別に安置するため、十分に広いスペースを確保している。例えば残骨安置墓１と同じ墓地内に区画される一般の墓の区画数に匹敵する数の残骨を区分して安置できるような、広いスペースの納骨室１２とすることができる。
【００１２】
地下の納骨室１２に対して、同じ敷地１０の地上部に設けた入口１３から地下部への通路１４が設けられている。前記入口１３は、通常は閉鎖されており、新たな残骨の安置時やその他の必要時に入口が開かれる。新たな残骨は通路１４を通って納骨室１２に運ばれ、所定の安置場所に安置される。納骨室１２内の構成乃至構造は安置に適したものとされるが、特にその構造が限定されるものではないので省略する。
【００１３】
前記納骨室１２は周囲を、例えばコンクリートの壁１２ａで覆う形で構成すると共に、納骨室１２の床部（地面部）１２ｂは水はけのよい材料、例えば０号砕石で層を構成する。これによって納骨室１２内を残骨の安置に良好な環境とする。
図２を参照して、岩盤等からなる水はけの悪い土地にあっては、地下の納骨室１２の周囲、特に床部１２ｂの下方を十分な層厚を持って透水層１５に置き換える。
【００１４】
前記納骨室１２での残骨の安置は、遺骨箱２０を用いて行う。この遺骨箱２０には、故人の名前やその他、その故人を特定するための文字、番号、記号等の特定手段が付される。また遺骨箱２０の形状は、納骨室１２内に整理整列して安置しやすい、矩形や長方形、その他の形状とされる。
安置される遺骨箱２０は、火葬場にて遺族によって収集された残骨を入れる残骨収集箱３０そのものとすることができるが、残骨収集箱３０とは別に用意するようにしてもよい。遺骨箱２０を残骨収集箱３０とは別にすることで、残骨をコンパクトに整理、整頓した状態で箱内に収容し、安置することが可能となる。一方、遺骨箱２０を残骨収集箱３０とする場合は、その残骨が遺族以外の者には触られることなく、安置することができる。残骨収集箱３０の内面にはアルミ箔３１が張られており、耐熱性が付与されている。
【００１５】
図３を参照して、火葬場において生じた残骨が本考案の残骨安置墓１に安置されるまでの流れを説明する。
火葬場において荼毘に付された故人の遺骨は、遺族によって骨壷に収容される。しかし骨壷に収容しきれない遺骨は、残骨として更に遺族によって残骨収集箱３０内に集骨される（Ａ）。集骨された残骨収集箱３０は、封をされ、荷造りされて、遺族からの受託者等により運搬される（Ｂ）。そして残骨安置墓１の納骨室１２に安置されるのに先立って、残骨は残骨収集箱３０から取り出され、よりコンパクトで納骨室１２での安置に適した遺骨箱２０内に移される（Ｃ）。そして納骨室１２に運ばれ、安置される。勿論、遺族等の要請により、残骨収集箱３０のまま納骨室１２に安置することも可能である。
【産業上の利用可能性】
【００１６】
火葬場にて骨壷には収容しきれない故人の残骨を、総て収容して供養を図ることが可能となり、遺族の要請、社会の要請に答えるものとして、産業上の利用可能性がある。
【図面の簡単な説明】
【００１７】
【図１】本考案の実施形態に係る残骨安置墓の全体を示す斜視図である。
【図２】本考案の実施形態に係る残骨安置墓の断面図である。
【図３】残骨の収集と運搬、安置を説明する図である。
【符号の説明】
【００１８】
１      残骨安置墓
１０    敷地
１１    供養碑
１２    納骨室
１２ａ  壁
１２ｂ  床部
１３    入口
１４    通路
１５    透水層
２０    遺骨箱
３０    残骨収集箱
３１    アルミ箔
【図１】
0003117679.tif 000003
【図２】
0003117679.tif 000004
【図３】
0003117679.tif 000005